(57)【要約】      （修正有）【課題】面倒な組立て過程及び変形し易いという構造を解決した物置キャビネットを提供する。【解決手段】物置キャビネットは、連結材によって順次に連結された四つの側板１を備える。連結材は、複数のほぞとＬ字状連結部材２を備え、物置キャビネットの端部の角にＬ字状連結部材の形状と一致する切欠部を有する。各側板１の、それと隣接するもう一つの側板１との接触部位、及びＬ字状連結部材２上に、共にほぞを挿し込むための溝孔が設けられ、隣接する両側板の接触部位同士はほぞによって対応する溝孔に挿し込んで連結され、Ｌ字状連結部材２は切欠部でほぞによって側板１に連結される。連結材を用いた上記の連結により、変形し難く、脱着が便利で、且つ短時間で組み立てが可能な物置キャビネットが提供される。【選択図】図１
0003198983.tif 000002
【実用新案登録請求の範囲】
【請求項１】
物置キャビネットであって、
連結材によって順次に連結された四つの側板を備えており、
前記連結材は、複数のほぞと、複数のＬ字状連結部材を備え、
前記物置キャビネットの両端部の八つの角に前記Ｌ字状連結部材の形状と一致する切欠部を有し、
各側板の、それと隣接するもう一つの側板との接触部位、及び、前記Ｌ字状連結部材上に、共にほぞを挿し込むための溝孔が設けられ、隣接する両側板の接触部位は、対応する溝孔に前記ほぞが挿し込まれることで連結され、前記Ｌ字状連結部材は前記切欠部で前記ほぞによって前記側板に連結されることを特徴とする物置キャビネット。
【請求項２】
前記各側板の内表面が、隣接するもう一つの側板の側面と連結されることを特徴とする請求項１に記載の物置キャビネット。
【請求項３】
前記各側板には、隣接するもう一つの物置キャビネットを連結させるための溝孔が設けられていることを特徴とする請求項１に記載の物置キャビネット。
【請求項４】
前記溝孔は円状溝孔であり、前記ほぞは前記溝孔と一致する円柱体であることを特徴とする請求項１に記載の物置キャビネット。
【請求項５】
前記Ｌ字状連結部材は木質、プラスチックまたは金属の部材であることを特徴とする請求項１に記載の物置キャビネット。
【請求項６】
前記ほぞは木質部材であることを特徴とする請求項１から請求項５のいずれか一項に記載の物置キャビネット。
【請求項７】
組合せ物置キャビネットであって、
請求項１または請求項２に記載の物置キャビネットを複数備え、隣接する両物置キャビネット同士が連結されることを特徴とする組合せ物置キャビネット。
【請求項８】
各物置キャビネットの側板ごとに、共に隣接するもう一つの物置キャビネットを連結するための溝孔が設けられ、前記物置キャビネットは溝孔及び前記溝孔と一致するほぞによって隣接するもう一つの物置キャビネットに連結されることを特徴とする請求項７に記載の組合せ物置キャビネット。
【請求項９】
前記物置キャビネットの溝孔は円状溝孔であり、前記物置キャビネットのほぞは前記溝孔と一致する円柱体であることを特徴とする請求項８に記載の組合せ物置キャビネット。
【請求項１０】
複数の物置キャビネットが一字状、Ｌ字状または方形状にスプライス（接合）して組立てられることを特徴とする請求項９に記載の組合せ物置キャビネット。
【考案の詳細な説明】
【技術分野】
【０００１】
本考案は物置キャビネットの技術分野に属し、具体的には、物置キャビネット及び複数の前記物置キャビネットを用いて設計された組合せ物置キャビネットに関する。
【背景技術】
【０００２】
現在、家庭で生活用品、又はオフィスで書類を置く際などに使用される物置キャビネットは、一般的には金属ネジなどの締め金具を用いて組立て固定され、組立て過程が面倒で、ネジなどの金物が露出することで外観にも影響を及ぼし、且つ組み立てられた物置キャビネットは変形し易い。
【先行技術文献】
【特許文献】
【０００３】
【特許文献１】（特になし）
【考案の概要】
【考案が解決しようとする課題】
【０００４】
本考案は物置キャビネットを提供し、従来の物置キャビネットに存在する面倒な組立て過程及び変形し易いという課題を解決した。
【課題を解決するための手段】
【０００５】
上記技術課題を解決するため、本考案は以下の技術案を用いて実現される、即ち、物置キャビネットであり、それぞれの側板が連結部材によって順次に連結された四つの側板を備えており、前記連結部材は、複数のほぞとＬ字状連結部材とを備え、前記物置キャビネットの端部の八つの角には前記Ｌ字状連結部材の形状と一致する切欠部を有し、そのうち、任意の一つの側板上に隣接するもう一つの側板との接触部位、及び前記Ｌ字状連結部材上には、共にほぞを挿し込むための溝孔が設けられ、隣接する両側板の接触部位が、前記接触部位に対応する溝孔において前記ほぞが挿し込まれることによって連結され、さらに前記Ｌ字状連結部材が、前記切欠部に対応する溝孔において前記ほぞが挿し込まれることによって前記側板に連結される。
【０００６】
さらに、前記側板内表面は隣接するもう一つの側板と連結される。
【０００７】
またさらに、前記各側板には隣接するもう一つの物置キャビネットに連結するための溝孔が設けられている。
【０００８】
好ましくは、前記溝孔は円状溝孔であり、前記ほぞは前記溝孔と一致する円柱体である。
【０００９】
さらに、前記Ｌ字状連結部材は木質、プラスチックまたは金属の部材である。
【００１０】
またさらに、前記ほぞは木質部材である。
【００１１】
上記の物置キャビネットの構成に基づいて、本考案は組合せ物置キャビネットも提案した。前記組合せ物置キャビネットは、隣接する両物置キャビネットが連結され、複数の物置キャビネットを備えることで提供される。前記物置キャビネットは、それぞれ四つの側板が連結部材によって順次に連結されており、前記連結部材は、複数のほぞとＬ字状連結部材とを備え、前記物置キャビネットの端部の八つの角には前記Ｌ字状連結部材の形状と一致する切欠部が設けられる。そのうち、任意の一つの側板と隣接するもう一つの側板との接触部位、及び前記Ｌ字状連結部材には、共にほぞを挿し込むための溝孔が設けられる。隣接する両側板の接触部位は、前記接触部位に対応する溝孔において前記ほぞが挿し込まれることによって連結され、さらに前記Ｌ字状連結部材は、前記Ｌ字状連結部材における溝孔及び当該溝孔に対応する前記切欠部における溝孔に前記ほぞが挿し込まれることによって前記側板に連結されることで物置キャビネットが提供される。
【００１２】
さらに、前述の物置キャビネットを用いて組合せ物置キャビネットを組立てる過程について説明する。各物置キャビネットの側板ごとに、隣接するもう一つの物置キャビネットを連結するための溝孔がそれぞれ設けられており、前記物置キャビネットの溝孔及びもう一つの隣接する物置キャビネットの溝孔に一致する前記ほぞが挿し込まれて連結されることで、組合せ物置キャビネットが提供される。
【００１３】
またさらに、前記物置キャビネットの溝孔は円状溝孔であり、前記物置キャビネットのほぞは前記溝孔と一致する円柱体である。
【００１４】
好ましくは、複数の物置キャビネットを一字状、Ｌ字状または方形状に組立てるとよい。
【考案の効果】
【００１５】
従来技術と比較して、本考案に係る物置キャビネットは、以下の利点及び有益な効果がある。即ち、本考案に係る物置キャビネットはほぞによって四つの側板が連結されることで固定されるものであり、脱着が便利であるため、物置キャビネットの組立て時間が削減される。Ｌ字状連結部材によって隣接する側板を連結し、隣接する側板が確実に連結されることで、変形し難くなり、物置キャビネットの使用寿命が改善される。複数の物置キャビネットをスプライス（接合）することで組合せ物置キャビネットにし、具体的なニーズに応じて任意にスプライス（接合）することで、臨機に変形することができ、十分に空間を利用することができる。
【００１６】
図面と併せて本考案の実施形態の詳細な説明を読むことで、本考案の他の特徴及び利点がより明瞭になる。
【図面の簡単な説明】
【００１７】
【図１】図１は本考案に係る物置キャビネットの一つの実施例の構成簡略図である。
【図２】図２は図１における側板の内表面構成の簡略図である。
【図３】図３は図１における側板の外表面構成の簡略図である。
【図４】図４は図１におけるＬ字状連結部材の構成の簡略図である。
【図５】図５は図１において隣接する二つの側板を組立てた簡略図である。
【図６】図６は図１における四つの側板の組立て簡略図である。
【考案を実施するための形態】
【００１８】
以下、図面と併せて本考案の具体的な実施形態をさらに詳細に説明する。
【実施例】
【００１９】
図１に示すように、本実施例の物置キャビネットは、主に連結部材と四つの側板１などからなり、四つの側板１はそれぞれが連結部材によって順次に連結され、連結部材には複数のほぞ３とＬ字状連結部材２が含まれる。いずれか一つの側板に隣接するもう一つの側板との接触部位では、両側板ともほぞを挿し込むための溝孔が設けられ、隣接する両側板の接触部位はほぞによってそれぞれ対応する溝孔に挿し込まれて連結される。つまり、ほぞの一端は側板の溝孔に挿し込まれ、当該ほぞの他端は隣接するもう一つの側板において対応する溝孔に挿し込まれることで、隣接する両側板同士がほぞを用いて一体に連結される。
【００２０】
具体的には、図２、図３及び図５に示すように、各側板１は内表面、外表面及び四周の側面を有し、内表面は置物キャビネットの内壁を構成するための面であり、外表面は置物キャビネットの外壁を構成するための面である。各側板１の内表面と隣接する側板の側面とが接触する接触部位に溝孔４が設けられ、前記接触部位に対応する溝孔４に対してほぞ３が挿し込まれ、側板１の内表面と隣接するもう一つの側板の側面とが連結されることで、隣接する両側板が一体に連結される。隣接する両側板を確実に連結するため、各側板の内表面と隣接する側板の側面との接触部位に複数の溝孔４を設けてもよく、隣接する両側板について、ほぞ３を複数用いることで連結してもよい。
【００２１】
ほぞ３を用いることによって、隣接する両側板を連結させることができ、物置キャビネットの脱着が便利になることで、組立ての過程を簡略化した。且つ物置キャビネットにネジなどの締め金具がないため、物置キャビネットの外観がより美しくなる。
【００２２】
図２、図３及び図６に示すように、物置キャビネットの端部の八つの角にはＬ字状連結部材２の形状と一致する切欠部５が設けられる。切欠部５は各側板１の四つの角に、子切欠部６がそれぞれ設けられることで形成されるものであり、四つの側板がそれぞれ連結された後に、物置キャビネットの切欠部５が八つそれぞれ形成される。切欠部５はＬ字状連結部材２の形状と一致し、Ｌ字状連結部材２が切欠部５に嵌め込まれることで、隣接する両側板同士が連結される。物置キャビネットは四つの側板１を有することによって、八つの切欠部５が形成されるため、八つのＬ字状連結部材２で側板が連結される必要がある。
【００２３】
具体的には、図４に示すように、Ｌ字状連結部材２上にはほぞを挿し込むための溝孔４が設けられる。本実施例においては、図４に示すとおり、Ｌ字状連結部材２の垂直方向及び水平方向にそれぞれ一つの溝孔４が設けられる。これに対応して、Ｌ字状連結部材２によって連結される両側板上にも、Ｌ字状連結部材２と対応する溝孔４が設けられる（図６を参照。）。図６に示すように、Ｌ字状連結部材２が切欠部５に嵌め込まれ、Ｌ字状連結部材２と両側板に対応する溝孔４にほぞ３が挿し込まれることで、隣接する両側板同士がＬ字状連結部材２によって連結される。Ｌ字状連結部材２によって連結されることで、隣接する両側板同士をより確実に連結でき、スプライス（接合）された物置キャビネットを丈夫にすることで、変形し難くなり、物置キャビネットの使用寿命を改善できる。
【００２４】
次に、物置キャビネットの組立て部品を説明する。各物置キャビネットは四つの側板を有し、四つの側板はそれぞれ第１側板、第２側板、第３側板及び第４側板と呼ぶこととする。第１側板と第２側板を連結するほぞは第１組ほぞと呼ぶこととし、第２側板と第３側板を連結するほぞは第２組ほぞと呼ぶこととし、第３側板と第４側板を連結するほぞは第３組ほぞと呼ぶこととし、第４側板と第１側板を連結するほぞは第４組ほぞと呼ぶこととする。Ｌ字状連結部材２と側板とを連結するほぞは第５組ほぞと呼ぶこととする。
【００２５】
次に、物置キャビネットの組立て過程を説明する。図５に示すように、まずは第１組ほぞの一端を第１側板の内表面における溝孔４に挿し込み、当該ほぞのもう一端を、第１側板の内表面における溝孔４と対応する第２側板の側面における溝孔４に挿し込み、第１側板と第２側板とを一体に連結する（これをステップ（１）とする）。
【００２６】
続いて、第２組ほぞの一端を第２側板の内表面における溝孔４に挿し込み、当該ほぞのもう一端を、第２側板の内表面における溝孔４と対応する第３側板の側面における溝孔４に挿し込み、第２側板と第３側板とを一体に連結する（これをステップ（２）とする）。
【００２７】
続いて、第３組ほぞの一端を第３側板の内表面における溝孔４に挿し込み、当該ほぞのもう一端を、第３側板の内表面における溝孔４と対応する第４側板の側面における溝孔４に挿し込み、第３側板と第４側板とを一体に連結する（これをステップ（３）とする）。
【００２８】
続いて、第４組ほぞの一端を第４側板の内表面における溝孔４に挿し込み、当該ほぞのもう一端を、第４側板の内表面における溝孔４と対応する第１側板の側面における溝孔４に挿し込み、第４側板と第１側板とを一体に連結する（これをステップ（４）とする）。
【００２９】
図６に示すように、ここまでの過程（ステップ（１）〜（４））により、四つの側板を一体に連結する。
【００３０】
さらにステップ（５）として、第５組ほぞの一端をＬ字状連結部材２の溝孔４に挿し込み、当該ほぞのもう一端を、Ｌ字状連結部材２の溝孔４に対応する両側板上の溝孔４に挿し込み、Ｌ字状連結部材２と隣接する両側板とを一体に連結する。
【００３１】
本実施例では、溝孔は円形溝孔であり、ほぞは溝孔に一致する円柱体である。
【００３２】
本実施例では、Ｌ字状連結部材２は木質部材、例えば天然木、天然木複合板などの材質であってもよく、プラスチック部材、例えばABS、PP、PE、PCなどの材質であってもよく、又は金属部材、例えば鋼、鉄、アルミニウム、銅、亜鉛などの材質であってもよい。勿論、Ｌ字連結部材２は上記例示に限定せず、他の材質を用いてよい。
【００３３】
前記ほぞは木質部材を選んでもよく、他の材質を用いてよい。
【００３４】
図３及び図６に示すように、各側板１上にはもう一つの物置キャビネットを隣接させて連結するための溝孔４が設けられている。もう一つの物置キャビネットを隣接させて連結させるための溝孔４は側板１の外表面上に設けられている。
【００３５】
上記物置キャビネットに基づいて、本考案は、組合せ物置キャビネットを提案する。組合せ物置キャビネットは、隣接する物置キャビネットが一体に連結されて複数の物置キャビネットを備えることにより提供される。
【００３６】
次に、組合せ物置キャビネットの組立て過程について説明する。物置キャビネットの各側板の外表面に、隣接するもう一つの物置キャビネットを連結するための溝孔４が設けられることで、前記物置キャビネットの溝孔４、及びもう一つの隣接する物置キャビネットの溝孔４に前記ほぞが挿し込まれて連結される。つまり、ほぞの一端が物置キャビネットの溝孔４に挿し込まれ、当該ほぞのもう一端が隣接するもう一つの物置キャビネットの溝孔４に挿し込まれることで、隣接する両物置キャビネットが一体に連結される。
【００３７】
物置キャビネットの溝孔は円形溝孔であり、物置キャビネットのほぞは溝孔と一致する円柱体である。
【００３８】
実際のニーズに従って、複数の物置キャビネットは一字状、Ｌ字状又は方形状にスプライス（接合）して組立ててもよく、他の形状にスプライス（接合）して組立ててもよく、組合せ物置キャビネットの全体形状を自由に変更し、顧客の異なるニーズに応じることができる。
【００３９】
上記実施例は、本考案の技術案を説明するだけであり、本考案の構想や範囲を限定しない。本明細書を参照して、本考案の範囲内において上記実施例に記載された技術内容を修正してもよく、又は本考案の範囲内において技術的特徴を有する考案のある部分を同等なものに変更してもよい。これらの修正又は変更は、本考案が保護を求める技術案の要旨及び範囲を逸脱しない。
【符号の説明】
【００４０】
１  側板
２  Ｌ字状連結部材
３  ほぞ（２及び３は連結材を構成する。）
４  溝孔
５  切欠部
６  子切欠部
【図１】
0003198983.tif 000003
【図２】
0003198983.tif 000004
【図３】
0003198983.tif 000005
【図４】
0003198983.tif 000006
【図５】
0003198983.tif 000007
【図６】
0003198983.tif 000008